(57)【要約】【課題】            イオウ系悪臭物質、窒素系悪臭物質、低級脂肪酸物質、脂肪属アルデヒド物質、有機溶剤物質等を一括して即効的に除去できる脱臭装置を得る。【解決手段】        活性炭と銅イオンが脱臭機能の主体をなすハニカム構造やコルゲート構造の活性炭フィルタ４と、金属触媒と吸着剤が脱臭機能の主体をなすハニカム構造やコルゲート構造の常温触媒フィルタ５を通風路３に直列に並べて設け、その通風路３には送風機６によって一方向に送風するようにする。また、活性炭フィルタ４を通風路３の上流側に、常温触媒フィルタ５を通風路３の下流側に配置する。さらに、活性炭フィルタ４を常温触媒フィルタ５より、通風路３に沿う方向の厚さを大きく構成する。【選択図】          図１
2005218636.tif 000002
【特許請求の範囲】
【請求項１】
活性炭と銅イオンが脱臭機能の主体をなすハニカム構造やコルゲート構造の活性炭フィルタと、金属触媒と吸着剤が脱臭機能の主体をなすハニカム構造やコルゲート構造の常温触媒フィルタを通風路に直列に並べて設け、その通風路には送風機によって一方向に送風するようにした脱臭装置。
【請求項２】
請求項１に記載の脱臭装置であって、活性炭フィルタを通風路の上流側に、常温触媒フィルタを通風路の下流側に配置した脱臭装置。
【請求項３】
請求項１又は請求項２のいずれかに記載の脱臭装置であって、活性炭フィルタを常温触媒フィルタより、通風路に沿う方向の厚さを大きく構成した脱臭装置。
【請求項４】
請求項１又は請求項２のいずれかに記載の脱臭装置であって、常温触媒フィルタを活性炭フィルタより、通風路に沿う方向の厚さを大きく構成した脱臭装置。
【請求項５】
請求項１〜請求項４までのいずれかに記載の脱臭装置であって、常温触媒フィルタと活性炭フィルタを、所定の間隔をおいて通風路に並べた脱臭装置。
【請求項６】
請求項１〜請求項５までのいずれかに記載の脱臭装置であって、通風路の送風の出入口を隣接する面に対角状に設けた脱臭装置。
【請求項７】
請求項１〜請求項６までのいずれかに記載の脱臭装置をキャビネット内に設けた脱臭収納庫。
【請求項８】
請求項７に記載の脱臭収納庫であって、キャビネットに物品が入れられたことを検知する物品検知手段を備え、この物品検知手段の検知出力を脱臭装置の電源投入信号とした脱臭収納庫。
【請求項９】
請求項７又は請求項８に記載の脱臭収納庫であって、脱臭装置の電源投入後、予め設定された時間が経過した後、脱臭装置の運転が停止する脱臭収納庫。
【発明の詳細な説明】
【技術分野】
【０００１】
本発明は、キッチンの臭気の除去に適した脱臭装置及び脱臭装置を備えた脱臭収納庫に関するものである。
【背景技術】
【０００２】
近年、住居空間の断熱化及び高気密化が進むにつれ、室内空気の汚染が問題化している。室内空気の汚染源としては、喫煙やキッチンの調理に伴う臭気ガス、ホルムアルデヒド等の有害ガス、カビや細菌等の空中浮遊微生物による腐敗臭等が主たるものである。これらのうちの臭気ガスを除去する手段としては、空気清浄機を使って室内空気を循環させながら脱臭するのが一般的である。実用化されている脱臭方式としては、活性炭方式、オゾン方式、光触媒方式等がある（例えば、特許文献１、特許文献２、特許文献３参照）。
【０００３】
【特許文献１】特開平５―７６１５号公報
【特許文献２】特開平９―４７５００号公報
【特許文献３】特開２００１―１２０６４８号公報
【発明の開示】
【発明が解決しようとする課題】
【０００４】
活性炭を材料とする脱臭フィルタは、気流中に置かれるため気流中の臭気ガスを速やかに吸着することができ、脱臭効果の速効性は高い。臭気ガスの分子を酸化分解することにより脱臭するオゾン方式や、微粒子状の酸化チタンに紫外線を照射して活性分子を発生させ、臭気ガスの分子と化学反応させて脱臭する光触媒方式では、吸着速度と比較して化学反応速度が遅いため、脱臭効果の速効性は低い。臭気ガスを悪臭防止法の特定悪臭物質に基づいて表現すれば、イオウ系悪臭物質、窒素系悪臭物質、低級脂肪酸物質、脂肪属アルデヒド物質、有機溶剤物質に大別することができる。これらの悪臭物質を一括して即効的に除去するには、オゾン脱臭方式や光触媒方式では無理であり、活性炭方式でも低級脂肪酸物質、脂肪属アルデヒド物質等を取り除くことはできない。
【０００５】
本発明は、上記した課題を解決するためになされたものであり、その目的とするところは、イオウ系悪臭物質、窒素系悪臭物質、低級脂肪酸物質、脂肪属アルデヒド物質、有機溶剤物質等を一括して即効的に除去できる脱臭装置を開発することであり、その装置のコンパクト化や性能の向上を推進することであり、さらには、キッチンに適した脱臭収納庫を開発することである。
【課題を解決するための手段】
【０００６】
上記課題を解決するために本発明は、活性炭と銅イオンが脱臭機能の主体をなすハニカム構造やコルゲート構造の活性炭フィルタと、金属触媒と吸着剤が脱臭機能の主体をなすハニカム構造やコルゲート構造の常温触媒フィルタを通風路に直列に並べて設け、その通風路には送風機によって一方向に送風するようにする手段を採用する。
【発明の効果】
【０００７】
本発明によれば、銅イオンを添着した活性炭フィルタによりイオウ系悪臭物質、窒素系悪臭物質を分解吸着でき、常温触媒フィルタによって低級脂肪酸物質、脂肪属アルデヒド物質等を吸着し、悪臭物質の活性化エネルギを低くして酸素と反応酸化させ無臭の物質にすることができる。つまり、性質の異なる悪臭物質を一括して即効的に除去することができる。活性炭フィルタも常温触媒フィルタもともにハニカム構造やコルゲート構造であり圧力損失が少なく、送風機は小型でよいのでコンパクトな脱臭装置となる。特に、イオウ系悪臭物質、窒素系悪臭物質、低級脂肪酸物質、脂肪属アルデヒド物質等が混在して生じるキッチンに適した脱臭装置となる。
【発明を実施するための最良の形態】
【０００８】
本発明の脱臭装置は、活性炭と銅イオンが脱臭機能の主体をなすハニカム構造やコルゲート構造の活性炭フィルタと、金属触媒と吸着剤が脱臭機能の主体をなすハニカム構造やコルゲート構造の常温触媒フィルタを通風路に直列に並べられている。通風路には送風機によって一方向に送風される。活性炭フィルタは、高分子化合物の繊維に粒状や繊維状の少なくとも一種類の活性炭を混紗した活性炭ペーパーの基材に銅イオンを添着した材料をハニカム構造やコルゲート構造に成形したものである。常温触媒フィルタは、無機バインダーと、活性化エネルギの高い例えば、酸化マンガンなどの触媒と、例えばゼオライトのような多泡状の吸着剤とを含んだ基材をハニカム構造やコルゲート構造に成形したものである。通風路は直線状で、活性炭フィルタを上流側に常温触媒フィルタを下流側にして、所定の間隔をおいて組込まれている。
【０００９】
本発明によれば、銅イオンを添着した活性炭フィルタにより生ゴミや食べ残しから発生する腐敗臭であるイオウ系悪臭物質、窒素系悪臭物質を分解吸着でき、常温触媒フィルタによって調理に伴う食品の熱処理で発生する低級脂肪酸物質、脂肪属アルデヒド物質等を吸着し、悪臭物質の活性化エネルギを低くして酸素と反応酸化させ無臭の物質にすることができる。つまり、性質の異なる悪臭物質を一括して即効的に除去することができる。活性炭フィルタも常温触媒フィルタもともにハニカム構造やコルゲート構造であり、圧力損失が少なく、送風機は小型でよい。イオウ系悪臭物質、窒素系悪臭物質、低級脂肪酸物質、脂肪属アルデヒド物質等が混在して生じるキッチンに適したコンパクトで寿命も長い脱臭装置である。
【００１０】
実施の形態１．
図１は、本実施の形態の脱臭装置の断面図、図２は同じく平面図、図３は活性炭フィルタの斜視図、図４は、常温触媒フィルタの斜視図、図５は、脱臭収納庫の断面図、図６は、他の脱臭収納庫の正面図である。この脱臭装置１は、外殻２内に直線状に構成された通風路３を縦断する形態に活性炭フィルタ４と常温触媒フィルタ５が直列に着脱可能に組込まれている。通風路３には、送風機６が組込まれ、通風路３の入口７から、出口８へ向かう空気流を形成する。活性炭フィルタ４は、常温触媒フィルタ５の上流側に所定の間隔９をおいて設けられている。この活性炭フィルタ４は、高分子化合物の繊維に粒状や繊維状の少なくとも一種類の活性炭を混紗した活性炭ペーパーの基材に銅イオンを添着した材料をハニカム構造や図３に示すようなコルゲート構造に成形したものである。常温触媒フィルタ５は、無機バインダーと、活性化エネルギの高い例えば、酸化マンガンなどの遷移金属酸化物の触媒と、例えばゼオライトやシリカゲルのような多泡状の吸着剤を混練した基材を図４に示すようなハニカム構造やコルゲート構造に成形したものである。
【００１１】
送風機６を運転させることにより、銅イオンを添着した風上側にある活性炭フィルタ４により生ゴミや食べ残しから発生する腐敗臭であるイオウ系悪臭物質、窒素系悪臭物質を分解吸着し、続いて、風下側にある常温触媒フィルタ５によって調理に伴う食品の熱処理で発生する低級脂肪酸物質、脂肪属アルデヒド物質等を吸着し、悪臭物質の活性化エネルギを低くして酸素と反応酸化させ無臭の物質（ＣＯ２やＨ２Ｏ）にすることができる。つまり、性質の異なる複合した悪臭物質を一括して表面積の広い構造により即効的に除去することができる。活性炭フィルタ４も常温触媒フィルタ５もともにハニカム構造やコルゲート構造であり、圧力損失が少なく、送風機６は小型でよい。イオウ系悪臭物質、窒素系悪臭物質、低級脂肪酸物質、脂肪属アルデヒド物質等が混在して生じるキッチンに好適なコンパクトで寿命も長い脱臭装置１である。
【００１２】
活性炭フィルタ４を上流側にすることにより、まずイオウ系悪臭物質、窒素系悪臭物質を活性炭フィルタ４で除去し、次段の常温触媒フィルタ５の遷移金属酸化物がイオウ系物質や窒素系物質で被毒（触媒毒）されるのを防ぐことができ、長期間有効に触媒効果を維持できる。活性炭フィルタ４と常温触媒フィルタ５との間に所定の間隔９を設定してあるので、ハニカム構造やコルゲート構造の端面の突合せによる通路同士のずれから生じる圧力損失の増加も回避することができる。
【００１３】
活性炭フィルタ４を常温触媒フィルタ５より、通風路３に沿う方向の厚さを大きく構成することにより、イオウ系悪臭物質、窒素系悪臭物質の除去機能を優先させた脱臭装置とすることができ、常温触媒フィルタ５を活性炭フィルタ４より、通風路３に沿う方向の厚さを大きく構成することにより、低級脂肪酸物質、脂肪属アルデヒド物質等の除去機能を優先させた脱臭装置１とすることができる。
【００１４】
この脱臭装置１を図５に示すようにキッチンキャビネットや図６に示すように電気調理機器の収納棚などに組込むことにより、脱臭収納庫１０が構成できる。例えば、図５に示すような生ゴミ容器１１を収納するキッチンキャビネットの庫内上部に脱臭装置１を設ければ、庫内の悪臭物質を除去することができる。この場合、活性炭フィルタ４を常温触媒フィルタ５より、通風路３に沿う方向の厚さを大きく構成した脱臭装置１が有効である。そして、通風路３の送風の入口７と出口８を外殻２の隣接する面に対角状に設けることにより、生ゴミ容器１１から出る臭気を下向きの入口７から吸い込み、生ゴミ容器１１の上方の水平方向の出口８から脱臭して吹出させることができ、効果的な脱臭が可能である。脱臭収納庫１０に生ゴミ容器１１が入れられたことを検知する反射形フォトダイオード等による物品検知手段１２を備え、この物品検知手段１２の検知出力を脱臭装置１の電源投入信号とすることにより、自動運転が可能になる。運転の停止は、制御回路１３のタイマー機能により脱臭装置１の電源投入後、予め設定された時間が経過した時点で実行すればよい。
【００１５】
また、図６に示すような電気調理機器の収納棚などに脱臭装置１を組込むことにより、収納棚内の悪臭物質を除去することができる。この場合、常温触媒フィルタ５を活性炭フィルタ４より、通風路３に沿う方向の厚さを大きく構成した脱臭装置１が、食品の熱処理で発生する低級脂肪酸物質、脂肪属アルデヒド物質等を多く吸着するので有効である。
【産業上の利用可能性】
【００１６】
活性炭フィルタ４及び常温触媒フィルタ５の脱臭能力を大きくすることにより、キッチン空間のような広い空間を対象とした脱臭も可能であり、キッチン以外の部屋の脱臭も可能であり、空気清浄装置としての利用もできる。
【図面の簡単な説明】
【００１７】
【図１】脱臭装置の断面図である。（実施の形態１）
【図２】脱臭装置の平面図である。（実施の形態１）
【図３】活性炭フィルタを示す斜視図である。（実施の形態１）
【図４】常温触媒フィルタを示す斜視図である。（実施の形態１）
【図５】脱臭収納庫の断面図である。（実施の形態１）
【図６】他の形態の脱臭収納庫の正面図である。（実施の形態１）
【符号の説明】
【００１８】
１  脱臭装置、  ３  通風路、  ４  活性炭フィルタ、  ５  常温触媒フィルタ、  ６  送風機、  ７  入口、  ８  出口、  ９  間隔、  １０  脱臭収納庫、  １２  物品検知手段。
【図１】
2005218636.tif 000003
【図２】
2005218636.tif 000004
【図３】
2005218636.tif 000005
【図４】
2005218636.tif 000006
【図５】
2005218636.tif 000007
【図６】
2005218636.tif 000008